(57)【要約】      （修正有）【課題】発光部支持部材とカメラ本体とのガタを抑えることができるカメラを提供する。  また、閃光発光部をより高い位置に移動させることができ、かつ、小型のカメラであって、閃光発光部が使用位置以外にあっても、不要な衝突音が発生しないカメラを提供する。【解決手段】ライトユニット下ケース１２に軸部１２ｄを設け、その外径がカメラ本体２０に開口された孔部２０ａの内径に嵌合するようにした。  また、補助アーム１４の第１のピン及び第２のピンには、ゴムリングを嵌めた。【選択図】図４
2008032939.tif 000002
【特許請求の範囲】
【請求項１】
本体側孔部を有したカメラ本体と、
前記本体側孔部に対して嵌合する支持部材側軸部を有し、前記本体側孔部と前記支持部材側軸部との嵌合部を中心として閃光発光部を使用位置と非使用位置との間で回転移動可能に支持する発光部支持部材と、
を備えるカメラ。
【請求項２】
請求項１に記載のカメラにおいて、
前記支持部材側軸部は、前記本体側孔部に対して挿入される方向である第１方向の位置を決める第１方向位置決め部を有し、
前記支持部材側軸部の先端付近において、前記第１方向とは逆方向の第２方向の位置を決める第２方向位置決め部があること、
を特徴とするカメラ。
【請求項３】
請求項１又は請求項２に記載のカメラにおいて、
前記発光部支持部材の回転中心と略一致する位置にコイル中心が配置され、前記発光部支持部材の回転移動力を発生するコイルばねを有し、
前記発光部支持部材は、前記カメラ本体に対して２カ所で回転可能に軸支持されており、
少なくとも前記コイルばねが配置されている側には、前記嵌合部が設けられていること、
を特徴とするカメラ。
【請求項４】
本体側軸部を有したカメラ本体と、
前記本体側軸部に対して嵌合する支持部材側孔部を有し、前記本体側軸部と前記支持部材側孔部との嵌合部を中心として閃光発光部を使用位置と非使用位置との間で回転移動可能に支持する発光部支持部材と、
を備えるカメラ。
【請求項５】
本体側係合部を有したカメラ本体と、
閃光発光部を支持し、使用位置と非使用位置との間で前記カメラ本体に対して回転移動可能に取り付けられ、支持部材側係合部を有した発光部支持部材と、
前記発光部支持部材の回転中心と同軸で前記カメラ本体に対して回転移動可能に取り付けられ、前記発光部支持部材が使用位置にあるときに前記本体側係合部と係合する第１係合部と、前記発光部支持部材が使用位置にあるときに前記支持部材側係合部と係合する第２係合部とを有した閃光発光部位置決め部材と、
を備え、
前記第１係合部及び前記第２係合部は、前記閃光発光部位置決め部材から突出した形状となっており、
前記第１係合部及び前記第２係合部の突出した部分の全周には、消音部材が設けられていること、
を特徴とするカメラ。
【発明の詳細な説明】
【技術分野】
【０００１】
本発明は、閃光発光部が使用位置と非使用位置との間で移動（ポップアップ）可能に設けられたカメラに関するものである。
【背景技術】
【０００２】
特許文献１には、ポップアップ可能な閃光発光部を備えたカメラが開示されている。
しかし、特許文献１に記載のカメラでは、閃光発光部を支持するケースが、別部品の軸受けを介してカメラ本体の上カバーに取り付けられているので、これら３部品の間に、それぞれ公差により発生するガタが大きいという問題があった。
特に、ポップアップ動作をばね力により行う場合には、ケースの上カバーに対するラジアルガタが一方向に寄せられる等して大きくなり、閃光発光部ユニット全体が傾いてしまい、ケースと上カバーとの間に生じる隙間が位置により不均等となったり、ポップアップ動作に障害が発生したりするという問題があった。
【０００３】
また、特許文献２には、ポップアップ位置を決めるストロボポジションレバー（補助アーム）を設け、このストロボポジションレバーに衝撃吸収部材を取り付け、ストロボユニットのポップアップ時の衝撃を吸収するカメラが開示されている。
しかし、特許文献２のようにストロボポジションレバーのストロボユニット位置決め部が１カ所であると、ケースとストロボポジションレバーとの配置の自由度が低く、大型化したり、必要な高さまで閃光発光部をポップアップできなかったりして、使用できない場合が多かった。
そこで、ストロボポジションレバーのストロボユニット位置決め部を２カ所とし、ストロボポジションレバー溝に相当する案内部分を形成しないようにすると、配置の自由度が高く、より高い位置へ閃光発光部をポップアップさせることができ、かつ、小型化を実現できる。
しかし、この場合、ポップアップ位置のみでストロボポジションレバーの位置が規制されるので、ポップアップ状態以外では、ストロボポジションレバーが自由に移動可能であり、ストロボユニット位置決め部がケースや上カバー等に衝突して衝突音が発生するという問題があった。
【特許文献１】特開平５−２７３０６号公報
【特許文献２】特開平１０−４８７１２号公報
【発明の開示】
【発明が解決しようとする課題】
【０００４】
本発明の課題は、発光部支持部材とカメラ本体とのガタを抑えることができるカメラを提供することである。
また、本発明の第２の課題は、閃光発光部をより高い位置に移動させることができ、かつ、小型のカメラであって、閃光発光部が使用位置以外にあっても、不要な衝突音が発生しないカメラを提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
請求項１の発明は、本体側孔部（２０ａ）を有したカメラ本体（２０）と、前記本体側孔部に対して嵌合する支持部材側軸部（１２ｄ）を有し、前記本体側孔部と前記支持部材側軸部との嵌合部を中心として閃光発光部（１１）を使用位置と非使用位置との間で回転移動可能に支持する発光部支持部材（１２）と、を備えるカメラである。
請求項２の発明は、請求項１に記載のカメラにおいて、前記支持部材側軸部（１２ｄ）は、前記本体側孔部（２０ａ）に対して挿入される方向である第１方向の位置を決める第１方向位置決め部（１２ｆ）を有し、前記支持部材側軸部の先端付近において、前記第１方向とは逆方向の第２方向の位置を決める第２方向位置決め部（１５ｂ）があること、を特徴とするカメラである。
請求項３の発明は、請求項１又は請求項２に記載のカメラにおいて、前記発光部支持部材（１２）の回転中心と略一致する位置にコイル中心が配置され、前記発光部支持部材の回転移動力を発生するコイルばね（１７）を有し、前記発光部支持部材は、前記カメラ本体に対して２カ所（１２ｄ，１２ｈ）で回転可能に軸支持されており、少なくとも前記コイルばねが配置されている側には、前記嵌合部が設けられていること、を特徴とするカメラである。
請求項４の発明は、本体側軸部を有したカメラ本体と、前記本体側軸部に対して嵌合する支持部材側孔部を有し、前記本体側軸部と前記支持部材側孔部との嵌合部を中心として閃光発光部を使用位置と非使用位置との間で回転移動可能に支持する発光部支持部材と、を備えるカメラである。
請求項５の発明は、本体側係合部（２０１）を有したカメラ本体（２０）と、閃光発光部（１１）を支持し、使用位置と非使用位置との間で前記カメラ本体に対して回転移動可能に取り付けられ、支持部材側係合部（１２１）を有した発光部支持部材（１２）と、前記発光部支持部材の回転中心と同軸で前記カメラ本体に対して回転移動可能に取り付けられ、前記発光部支持部材が使用位置にあるときに前記本体側係合部と係合する第１係合部（１４ｂ）と、前記発光部支持部材が使用位置にあるときに前記支持部材側係合部と係合する第２係合部（１４ｃ）とを有した閃光発光部位置決め部材（１４）と、を備え、前記第１係合部及び前記第２係合部は、前記閃光発光部位置決め部材から突出した形状となっており、前記第１係合部及び前記第２係合部の突出した部分の全周には、消音部材（３０）が設けられていること、を特徴とするカメラである。
なお、符号を付した構成は適宜改良してもよい。また、少なくとも一部を他の構成物に代替してもよく、その配置について特に限定のない構成要件は、実施形態で開示した配置に限らない。
【発明の効果】
【０００６】
本発明によれば、発光部支持部材とカメラ本体とのガタを抑えることができる。
また、閃光発光部をより高い位置に移動させることができ、かつ、小型のカメラであって、閃光発光部が使用位置以外にあっても、不要な衝突音が発生しないカメラを提供することができる。
【発明を実施するための最良の形態】
【０００７】
以下、図面等を参照しながら、本発明の実施の形態について、更に詳しく説明する。
【０００８】
（実施形態）
図１は、本実施形態のカメラの閃光発光部付近を示す側面図である。
図２は、ライトユニットの回転中心付近を示す斜視図である。
図３は、ライトユニット下ケースを示す斜視図である。
図４は、図１に矢印で示したＡＡ断面を示す断面図である。
本実施形態のカメラでは、閃光発光部１１が設けられたライトユニット１０が収納状態である非使用位置と発光可能状態である使用位置との間をカメラ本体２０に対して移動可能となっている。なお、以下の説明では、非使用位置から使用位置へのライトユニット１０の移動を、ポップアップと呼ぶ。
ライトユニット１０は、閃光発光部１１，ライトユニット下ケース１２，ライトユニット上ケース１３，補助アーム１４，カラー１５，ビス１６，コイルばね１７，配線部材１８，軸受けカラー１９等を備え、カメラ本体２０が有する不図示のペンタプリズムを内蔵する位置を挟み込むように配置されている。
【０００９】
閃光発光部１１は、不図示のキセノン管及び反射板を備え、撮影時に補助照明光を発光する部分である。閃光発光部１１は、配線部材１８によりカメラ本体２０内部に設けられた不図示の回路基板と接続されている。
ライトユニット下ケース１２は、ライトユニット１０の土台となる部材であり、閃光発光部１１を配置する先端部１２ａと、先端部１２ａから二股に分かれた形態でカメラ本体２０に接続される腕状部分１２ｂ，１２ｃを有している。
腕状部分１２ｂには、カメラ本体２０側へ円筒状に突出した軸部１２ｄが設けられている。軸部１２ｄは、その外径がカメラ本体２０に開口された孔部２０ａの内径に嵌合している。したがって、間に別部品が介在せずに、ライトユニット下ケース１２の位置がカメラ本体２０に対して直接決まることとなる。これにより、部品の作製時に許容する寸法公差による部品寸法のばらつきによって、カメラ本体２０に対するライトユニット下ケース１２の位置がばらつくことがない。
【００１０】
軸部１２ｄの軸線上であって、軸部１２ｄが突出する側とは反対側には、ばね掛け軸部１２ｅが円筒状に突出して設けられている。軸部１２ｄとばね掛け軸部１２ｅの内径部分は、同一内径の貫通孔となっている。ばね掛け軸部１２ｅの外周部分には、コイルばね１７のコイル部分が嵌められている。
コイルばね１７は、ねじりコイルばねであり、一方の腕がカメラ本体２０に掛けられ、他方の腕がライトユニット下ケース１２に掛けられ、ライトユニット１０を使用位置方向へ付勢している。ライトユニット１０は、非使用位置においては、カメラ本体２０に設けられた爪２１がライトユニット下ケース１２に設けられた不図示の係合部に係合しており、ポップアップを行うときには、不図示の駆動機構により爪２１が駆動されてライトユニット下ケース１２との係合が解除され、コイルばね１７の付勢力によってポップアップ動作を行う。
【００１１】
このように、本実施形態では、コイルばね１７は、カメラ本体２０に開口された孔部２０ａの内径に軸部１２ｄの外径が嵌合している部分に設けられているので、コイルばね１７によりライトユニット下ケース１２に対して付勢力が作用していても、カメラ本体２０に対するライトユニット下ケース１２の位置が大きくずれてしまうことはない。よって、カメラ本体２０とライトユニット１０との隙間、特に、非使用状態における隙間が場所によって変化することなく、また、ポップアップ動作の障害となることもない。
ライトユニット下ケース１２の軸部１２ｄが突出している根本部分には、平面部１２ｆが形成されている。この平面部１２ｆは、後述の補助アーム１４を挟んで軸部１２ｄが孔部２０ａに挿入される方向の位置を決める部分である。
【００１２】
軸部１２ｄとばね掛け軸部１２ｅの内径部分には、カラー１５が挿入されている。カラー１５は、軸部１２ｄとばね掛け軸部１２ｅの内径部分に挿入される円筒部１５ａと、円筒部からつば状に外径方向に突出したフランジ部１５ｂとを有している。カラー１５は、軸部１２ｄが孔部２０ａに挿入される方向とは反対の方向から円筒部１５ａが軸部１２ｄとばね掛け軸部１２ｅの内径部分に挿入されており、円筒部１５ａにビス１６をねじ込むことにより、軸部１２ｄとばね掛け軸部１２ｅの内径部分に取り付けられている。フランジ部１５ｂは、カメラ本体２０の内壁に当接することで、孔部２０ａから抜ける方向の軸部１２ｄの位置を決めている。
なお、円筒部１５ａの軸方向の寸法は、軸部１２ｄとばね掛け軸部１２ｅとを合わせた軸方向の寸法よりも長く設定され、また、軸部１２ｄの軸方向の寸法は、孔部２０ａが設けられている部分のカメラ本体２０の厚さと後述の補助アーム１４の厚さとを合わせた寸法よりも短く設定されている。これにより、ビス１６を締め付けても、ライトユニット下ケース１２がカメラ本体２０に対して固定されることなく、回転可能となる。
【００１３】
なお、軸部１２ｄの軸線上であって、軸部１２ｄが設けられている腕状部分１２ｂとは反対側の腕状部分１２ｃには、軸部１２ｄに相当する形状は設けられていない。ライトユニット下ケース１２のこの部分には、貫通孔１２ｈが設けられており、カメラ本体２０には、貫通孔２０ｂが設けられている。貫通孔１２ｈ及び貫通孔２０ｂには、軸受けカラー１９が挿入されている。軸受けカラー１９は、不図示の抜け止め形状が弾性変形可能に形成されており、貫通孔１２ｈ及び貫通孔２０ｂに挿入されることにより、スラスト方向に抜けることなく自らの位置を保持できるようになっている。軸受けカラー１９は、軸中心部分が貫通した孔になっており、この孔を配線部材１８が通っている。
【００１４】
ライトユニット下ケース１２は、上述した軸部１２ｄを有していることから、図面上では組み立てが困難な形態となっているが、本実施形態のライトユニット下ケース１２は、樹脂成形品であることから、弾性変形しやすく、腕状部分１２ｂ，１２ｃを撓ませながらカメラ本体２０に対して組み立てることができる。
ライトユニット上ケース１３は、ライトユニット下ケース１２に対して、ライトユニット１０の内部を隠すように固定された外観部材である。
【００１５】
図５は、補助アーム１４付近を示す図である。図５（ａ）は、使用位置にある場合の被写体方向から見た断面図を示し、図５（ｂ）は、使用位置にある場合の側面からの透視図を示し、図５（ｃ）は、非使用位置にある場合の被写体方向から見た断面図を示し、図５（ｄ）は、非使用位置にある場合の側面からの透視図を示している。
補助アーム１４は、軸部１２ｄに嵌合する嵌合孔１４ａを有し、軸部１２ｄを中心として回転可能な略板状の部材である。なお、補助アーム１４は、軸受けカラー１９が設けられている側にも同様な形態で設けられている。
補助アーム１４のカメラ本体２０に面する側には、第１のピン１４ｂがカシメ固定され、ライトユニット下ケース１２に面する側には、第２のピン１４ｃがカシメ固定されている。第１のピン１４ｂ及び第２のピン１４ｃには、ゴムリング３０が嵌められており、第１のピン１４ｂ及び第２のピン１４ｃの外周部分は全周がゴムにより覆われた形態となっている。
第１のピン１４ｂは、カメラ本体２０に設けられた本体側係合溝２０１内に挿入され、第２のピン１４ｃは、ライトユニット下ケース１２に設けられたケース側係合溝１２１内に挿入されている。
【００１６】
ライトユニット１０がポップアップした状態の使用位置（図５（ａ），（ｂ））に有るときには、第１のピン１４ｂが本体側係合溝２０１の位置決め端部２０１ａに当接し、第２のピン１４ｃがケース側係合溝１２１の位置決め端部１２１ａに当接することで、ライトユニット１０の使用位置が決まるようになっている。
ここで、第１のピン１４ｂ及び第２のピン１４ｃには、ゴムリング３０が嵌められているので、ポップアップ動作で第１のピン１４ｂが本体側係合溝２０１の位置決め端部２０１ａに当接し、第２のピン１４ｃがケース側係合溝１２１の位置決め端部１２１ａに当接することにより発生する衝突音を低減でき、衝撃も抑えることができる。
なお、この使用位置では、コイルばね１７の付勢力によって第１のピン１４ｂが本体側係合溝２０１の位置決め端部２０１ａに当接し、第２のピン１４ｃがケース側係合溝１２１の位置決め端部１２１ａに当接しているので、補助アーム１４の位置が不定となることはない。
【００１７】
一方、ライトユニット１０が収納状態である非使用位置（図５（ｃ），（ｄ））にあるときには、先に述べたようにカメラ本体２０に設けられた爪２１がライトユニット下ケース１２に設けられた不図示の係合部に係合しているので、コイルばね１７の付勢力は、爪２１には作用するが、第１のピン１４ｂと第２のピン１４ｃとには作用しない。したがって、補助アーム１４は、本体側係合溝２０１の非位置決め端部２０１ｂに第２のピン１４ｃが当接する位置と、ケース側係合溝１２１の非位置決め端部１２１ｂに第１のピン１４ｂが当接する位置との間で自由に移動可能、すなわち、位置が不定となっている。
【００１８】
しかし、本実施形態では、ゴムリング３０を第１のピン１４ｂと第２のピン１４ｃとに嵌めているので、ライトユニット１０が収納状態である非使用位置にあり、位置が不定となっていても、非位置決め端部２０１ｂに第２のピン１４ｃが当接するとき、及び、非位置決め端部１２１ｂに第１のピン１４ｂが当接するときの衝突音を低減できる。よって、カメラを手に持って歩いたり、振り回したりしたとしても、不自然な衝突音が発生しない。
【００１９】
本実施形態によれば、軸部１２ｄは、その外径がカメラ本体２０に開口された孔部２０ａの内径に嵌合しているので、ライトユニット１０のカメラ本体２０に対する位置が正確に決まり、非使用位置における隙間の不均一などの外観上の不良を生じず、また、部品の寸法のばらつきがポップアップ動作に悪影響を与えてしまうことを防止できる。
さらに、本実施形態によれば、第１のピン１４ｂ及び第２のピン１４ｃには、ゴムリング３０を嵌めたので、ポップアップ時の衝突音及び衝撃を低減できるとともに、非使用位置を含む使用位置以外にある場合において補助アーム１４の位置が不定になっていても不自然な衝突音の発生を抑えることができる。
【００２０】
（変形形態）
以上説明した実施形態に限定されることなく、種々の変形や変更が可能であって、それらも本発明の均等の範囲内である。
（１）本実施形態において、ライトユニット下ケース１２に軸部１２ｄが設けられ、カメラ本体２０に孔部２０ａが設けられている例を示したが、これに限らず、ライトユニット下ケース１２に孔部を設け、カメラ本体に軸部を設けてこれらを嵌合させてもよい。
【００２１】
（２）本実施形態において、カラー１５によりライトユニット下ケース１２の軸部１２ｄの抜け止めを行う例を示したが、これに限らず、例えば、軸部の先端に撓みを利用した抜け止め形状を形成してもよいし、ビスなどを軸部の先端に組み付けることにより抜け止めとしてもよい。
【００２２】
（３）本実施形態において、第１のピン１４ｂ及び第２のピン１４ｃには、ゴムリング３０を消音部材として嵌めた例を示したが、これに限らず、例えば、エラストマー，ウレタンフォーム等、消音効果を有した他の材料により形成されたリングを用いてもよい。
【図面の簡単な説明】
【００２３】
【図１】本実施形態のカメラの閃光発光部付近を示す側面図である。
【図２】ライトユニットの回転中心付近を示す斜視図である。
【図３】ライトユニット下ケースを示す斜視図である。
【図４】図１に矢印で示したＡＡ断面を示す断面図である。
【図５】補助アーム１４付近を示す図である。
【符号の説明】
【００２４】
１０：ライトユニット、１１：閃光発光部、１２：ライトユニット下ケース、１２ｄ：軸部、１３：ライトユニット上ケース、１４：補助アーム、１５：カラー、１６：ビス、１７：コイルばね、１８：配線部材、１９：軸受けカラー、２０：カメラ本体、２０ａ：孔部、１２１：ケース側係合溝、２０１：本体側係合溝
【図１】
2008032939.tif 000003
【図２】
2008032939.tif 000004
【図３】
2008032939.tif 000005
【図４】
2008032939.tif 000006
【図５】
2008032939.tif 000007